(57)【要約】【課題】無線通信機能と放送受信機能を接続する使用形態、あるいは一体化することにより使用する装置形態において、放送波の受信が困難または不可能となることがある。【解決手段】無線通信部５１が接続されたテレビ受信部５０において、無線通信部５１を動作させる場合に、テレビ受信部５０のうちノイズに強い期間を検出するＣＰＵ５２と、前記ノイズに強い期間に、少なくとも無線通信部５１の送信動作を行わせるよう制御を行う送受手順制御回路１８とを備えた。【選択図】　図１
2004048447.tif 000002
【特許請求の範囲】
【請求項１】
無線通信装置が接続されたデジタルテレビ受信装置において、
前記無線通信装置を動作させる場合に、前記デジタルテレビ受信装置の受信信号のうちノイズに強い期間を検出する検出手段と、
前記ノイズに強い期間に、少なくとも前記無線通信装置の送信動作を行わせるよう制御を行う制御手段とを備えたデジタルテレビ受信装置。
【請求項２】
前記制御手段は、前記ノイズに強い期間に、前記無線通信装置の受信動作を行わせるよう制御を行う請求項１に記載のデジタルテレビ受信装置。
【請求項３】
前記受信信号は、ヘッダ部と実データ部とを有する複数のセグメントから構成される請求項１または２に記載のデジタルテレビ受信装置。
【請求項４】
前記ノイズに強い期間は、前記セグメントの受信中における所定の位置に基づきあらかじめ定められており、
前記検出手段は、前記所定の位置を検出することにより前記ノイズに強い期間を検出する請求項３に記載のデジタルテレビ受信装置。
【請求項５】
前記所定の位置は、前記ヘッダ部に含まれているものであって、前記セグメントの同期位置を示すものである請求項４に記載のデジタルテレビ受信装置。
【請求項６】
前記検出手段は、前記セグメントの所定の期間を一回または複数回検出し、その所定の期間に基づき、前記ノイズに強い期間を得る請求項３に記載のデジタルテレビ受信装置。
【請求項７】
前記セグメントは、ＩＳＤＢ−Ｔ方式におけるシンボルまたはフレームに相当するものである請求項３または６に記載のデジタルテレビ受信装置。
【請求項８】
前記検出手段の検出動作の対象となる前記受信信号は、前記デジタルテレビが接続されたアンテナまたは前記アンテナの給電点から、前記検出手段までの伝送路にある信号である請求項１に記載のデジタルテレビ受信装置。
【請求項９】
デジタルテレビ受信装置が接続された無線通信装置において、前記デジタルテレビ受信装置の受信信号のうちノイズに強い期間を検出する検出手段と、
前記ノイズに強い期間に、少なくとも送信動作を行わせるよう制御を行う制御手段とを備えた無線通信装置。
【請求項１０】
無線通信装置が接続されたデジタルテレビ受信装置の制御方法であって、
前記無線通信装置を動作させる場合に、前記デジタルテレビ受信装置の受信信号のうちノイズに強い期間を検出する工程と、
前記ノイズに強い期間に、少なくとも前記無線通信装置の送信動作を行わせるよう制御を行う工程とを備えたデジタルテレビ受信装置の制御方法。
【請求項１１】
請求項１に記載のデジタルテレビ受信装置における、前記無線通信装置を動作させる場合に、前記デジタルテレビ受信装置の受信信号のうちノイズに強い期間を検出する検出手段と、前記ノイズに強い期間に、少なくとも前記無線通信装置の送信動作を行わせるよう制御を行う制御手段との全部または一部としてコンピュータを機能させるためのプログラム。
【請求項１２】
請求項１１に記載のプログラムを担持した媒体であって、コンピュータにより処理可能な媒体。
【発明の詳細な説明】
【０００１】
【発明の属する技術分野】
本発明は，無線通信装置に接続して使用されるデジタルテレビ受信装置等に関するものである。
【０００２】
【従来の技術】
近年、携帯電話、ＰＨＳや無線ＬＡＮといった無線通信のサービス範囲が拡大してきている。特に携帯電話のような無線通信装置は、パーソナルコンピュータに接続して用いられることも多い。
【０００３】
従来技術を、特開平８−２５５１１７号公報「情報処理装置およびそれに接続して使用される無線通信装置ならびにそれら装置を使用した無線通信システム」から例示し、その構成を図５に示す。この無線通信システムは、パーソナルコンピュータのような情報処理装置をＰＣカードのような無線通信装置とを接続して使用する場合に、情報処理装置からの不要輻射による影響を回避することで、無線通信装置の無線通信の通信品質の向上を図るというものである。
【０００４】
図５に示すように、情報処理装置９１の情報処理部９４は、信号伝送部９３を介して無線通信装置９２から供給される制御信号により、情報処理部９４の動作停止や動作速度の増減などを制御する。
【０００５】
このように、無線通信装置９２の無線通信動作に合わせて情報処理装置９１を動作制御することにより、無線通信周波数帯域に対する情報処理装置９１からの不要輻射の影響を回避することができ、所望の無線通信品質，例えば信号帯雑音比や誤り率などを満足する情報通信を行うことができる。
【０００６】
【発明が解決しようとする課題】
一方、無線通信装置と組み合わせて用いる他の装置としては、上記の情報処理装置の他に、テレビのように放送受信機能を有する装置が考えられる。特に放送分野においては、ＣＳデジタル放送やＢＳデジタル放送のサービススタートに続いて、地上波のデジタル化への準備が着々と進められており、将来にはこれら放送および通信事業のサービスの一体化が実現されていくものと予測される。さらに小型化、低消費電力化技術の発展が急速に加速している現状を鑑みると、無線通信機能と放送受信機能が一体化された商品の実用化が望まれると考えられる。
【０００７】
しかしながら、無線通信機能と放送受信機能を接続する使用形態、あるいは両者を一体化することにより使用する装置形態において、テレビ放送を受信しながら無線通信を行う場合、無線通信機能の送信タイミングによるバースト的なノイズが不要輻射や電源リップル、またグランドバウンスにより、放送波の受信が困難または不可能となることがある。
【０００８】
特に端末形態を小型化、低電力化にする程この傾向は顕著になる。このため前記使用形態の端末では、テレビ放送の受信と同時に無線通信をすることは困難または不可能であった。これらの課題は上記従来の技術では十分に対応できなかった。
【０００９】
本発明は、上記の課題に鑑みてなされたものであり、無線通信装置と接続して動作する際に、無線通信の通信動作に伴うバースト的なノイズ等の影響を被ることなくテレビ方法の受信を行うことができるデジタルテレビ受信装置等を提供するものである。
【００１０】
【課題を解決するための手段】
上記の目的を達成するために、第１の本発明は、無線通信装置が接続されたデジタルテレビ受信装置において、
前記無線通信装置を動作させる場合に、前記デジタルテレビ受信装置の受信信号のうちノイズに強い期間を検出する検出手段と、
前記ノイズに強い期間に、少なくとも前記無線通信装置の送信動作を行わせるよう制御を行う制御手段とを備えたデジタルテレビ受信装置である。
【００１１】
また、第２の本発明は、前記制御手段は、前記ノイズに強い期間に、前記無線通信装置の受信動作を行わせるよう制御を行う第１の本発明のデジタルテレビ受信装置である。
【００１２】
また、第３の本発明は、前記受信信号は、ヘッダ部と実データ部とを有する複数のセグメントから構成される第１または２の本発明のデジタルテレビ受信装置である。
【００１３】
また、第４の本発明は、前記ノイズに強い期間は、前記セグメントの受信中における所定の位置に基づきあらかじめ定められており、
前記検出手段は、前記所定の位置を検出することにより前記ノイズに強い期間を検出する第３の本発明のデジタルテレビ受信装置である。
【００１４】
また、第５の本発明は、前記所定の位置は、前記ヘッダ部に含まれているものであって、前記セグメントの同期位置を示すものである第４の本発明のデジタルテレビ受信装置である。
【００１５】
また、第６の本発明は、前記検出手段は、前記セグメントの所定の期間を一回または複数回検出し、その所定の期間に基づき、前記ノイズに強い期間を得る第３の本発明のデジタルテレビ受信装置である。
【００１６】
また、第７の本発明は、前記セグメントは、ＩＳＤＢ−Ｔ方式におけるシンボルまたはフレームに相当するものである第３または第６の本発明のデジタルテレビ受信装置である。
【００１７】
また、第８の本発明は、前記検出手段の検出動作の対象となる前記受信信号は、前記デジタルテレビが接続されたアンテナまたは前記アンテナの給電点から、前記検出手段までの伝送路にある信号である第１の本発明のデジタルテレビ受信装置である。
【００１８】
また、第９の本発明は、デジタルテレビ受信装置が接続された無線通信装置において、
前記デジタルテレビ受信装置の受信信号のうちノイズに強い期間を検出する検出手段と、
前記ノイズに強い期間に、少なくとも送信動作を行わせるよう制御を行う制御手段とを備えた無線通信装置である。
【００１９】
また、第１０の本発明は、無線通信装置が接続されたデジタルテレビ受信装置の制御方法であって、
前記無線通信装置を動作させる場合に、前記デジタルテレビ受信装置の受信信号のうちノイズに強い期間を検出する工程と、
前記ノイズに強い期間に、少なくとも前記無線通信装置の送信動作を行わせるよう制御を行う工程とを備えたデジタルテレビ受信装置の制御方法である。
【００２０】
また、第１１の本発明は、第１の本発明のデジタルテレビ受信装置における、前記無線通信装置を動作させる場合に、前記デジタルテレビ受信装置の受信信号のうちノイズに強い期間を検出する検出手段と、前記ノイズに強い期間に、少なくとも前記無線通信装置の送信動作を行わせるよう制御を行う制御手段との全部または一部としてコンピュータを機能させるためのプログラムである。
【００２１】
また、第１２の本発明は、第１１の本発明のプログラムを担持した媒体であって、コンピュータにより処理可能な媒体である。
【００２２】
以上のような本発明は、その一例として、無線通信装置を接続可能なデジタルテレビ受信装置において、前記無線通信装置を動作させる場合には、前記デジタルテレビ受信装置の受信信号のうち受信性能にあたえる影響が少ない期間を検出し、事前に対向する通信装置との間で送受信タイミングの調停を行い、前記無線通信装置の所定の送信動作を前記検出期間の範囲で行うように送信および受信の開始時刻を制御するようにしてもよい。
【００２３】
本発明によれば、無線通信機能と放送受信機能を接続する使用形態、あるいは一体化することにより使用する装置形態において、テレビ放送を受信しながら無線通信を行う場合でも、無線通信機能の送信タイミングによるバースト的な妨害波を受けることのないテレビ受信装置が提供できる。
【００２４】
また、本発明は、無線通信装置を接続可能なデジタルテレビ受信装置において、前記無線通信装置を動作させる場合には、前記デジタルテレビ受信装置の受信信号のうち受信性能にあたえる影響が少ない期間を検出し、事前に対向する通信装置との間で送受信タイミングの調停を行い、前記検出期間の範囲で前記無線通信装置の送信動作をするように送信および受信周期を制御するようにしてもよい。
【００２５】
本発明によれば、無線通信機能と放送受信機能を接続する使用形態、あるいは一体化することにより使用する装置形態において、テレビ放送を受信しながら無線通信を行う場合でも、無線通信機能の送信タイミングによるバースト的な妨害波を受けることのないテレビ受信装置が提供できる。
【００２６】
【発明の実施の形態】
（発明の形態）
以下に、本発明の実施の形態について、図１、図２および図３を用いて説明する。
【００２７】
図１は、本実施の形態による無線通信装置を接続可能なデジタルテレビ受信装置の構成図である。図に示すように、デジタルテレビ受信装置は、放送局５３からの信号を受信するテレビ受信部５０と、無線通信局５４との通信を行う無線通信部５１と、両者を制御するＣＰＵ５２とから構成される。なお、テレビ受信部５０と無線通信部５１とは、別構成でもよいし、同一筐体内に一体化した構成としてもよい。
【００２８】
無線通信部５１において、第１のアンテナ１０は、無線通信局５４との間で送受信電波を空間中で効率的に受け渡しをするためのもので、選局回路１３と第１の復調回路１５は、第１のアンテナ１０により得た高周波信号から所定の周波数帯域信号を所定のタイミングで受信しデジタル信号に変換する第１の受信手段を構成し、送出回路１２と第１の変調回路１４は、送信するべきデジタル信号を所定の高周波帯域信号に変換して前記アンテナにより所定のタイミングで送信するための第１の送信手段を構成し、データ多重／分離部１６は、入力部１９からの情報を所定の処理によってパケットデータ化し変調回路１４へ出力する機能と、第１の復調回路１５からの入力信号を所定の処理によって出力データへ変換する機能を持つ手段である。また、１７はデータ符号／復号回路、１９はデータ入力部である。送受手順制御回路１８は、第１の送信手段および前記第１の受信手段を動作させる所定のタイミングを制御する第１の情報処理手段を構成するものである。
【００２９】
また、テレビ受信部５０において、第２のアンテナ３０は、放送局からの放送電波を空中で効率的に受けるためのもので、チューナ３１と第２の復調回路３２は前記アンテナにより得た高周波信号から所定の周波数帯域信号を受信しデジタル信号に変換する第２の受信手段を構成し、ＴＳ分離回路３３、映像復号回路３４および音声復号回路３５は、前記デジタル信号を所定の処理によって出力データへ変換する第２の情報処理手段を構成し、合成回路３６は、前記出力データと前記無線通信部からの出力データを合成する手段を構成する。
【００３０】
さらにＣＰＵ５２は、無線通信部とテレビ受信部との間の調停をする制御手段を実現するものである。
【００３１】
以上のような構成を有する本実施の形態１による、デジタルテレビ受信装置の動作を以下に説明するとともに、これにより、本発明のデジタルテレビ受信装置の制御方法の一実施の形態について、図２を参照して説明を行う。ただし図２は、無線通信開始までの処理フローを示す図である。なお、以下の説明において、テレビ受信部の受信動作に関し、本発明と直接関連しない部分においては、簡単のため説明を省略する。
【００３２】
入力部１９から通信開始の指示を受けると（ステップ２０１）、ＣＰＵ５２は、テレビ受信部５０がテレビ受信を行っているか否かの判断を行う（ステップ２０２）。この判断は、例えばＣＰＵ５２が第２の復調回路３２の動作状態を検知することによって行う。また、チューナ３２の動作状態を検知するようにしてよもよい。また、テレビ受信が行われていないという判定の場合には、無線通信は任意のタイミングで実行される。
【００３３】
テレビ受信が行われている場合には、ＣＰＵ５２は、第２の復調回路３２からデジタル信号である受信信号を取得すると、ここから、後述する同期位置を検出する（ステップ２０３）。次いでＣＰＵ５２は、検出した同期位置に基づき、無線通信部５１が送信動作を行うのに最適な期間を検出する（ステップ２０４）。
【００３４】
ここで、上記した、無線通信部５１が送信動作を行うのに最適な期間について図３を使って説明する。テレビ受信部５０が受信する放送としては、国内地上デジタル放送方式に採用されているＩＳＤＢ−Ｔ方式を例にとっている。受信信号は、フレームとよばれる所定時間長をデータセグメントを一単位として構成されており、複数のフレームにより形成されたデータ列となっている。さらに一つのフレームは、シンボルと呼ばれる所定時間長（フレームの所定時間長とは異なる長さ）のデータセグメントから構成されている。
【００３５】
図中に受信信号＃１，＃２，．．．として示されるシンボルは、所定期間である有効部と有効部の後部の一部を前記有効シンボルの先頭部へ付加した信号であるガード部とから成り、受信信号＃１、受信信号＃２、・・・受信信号＃Ｎと連続したシンボルを受信処理している。
【００３６】
各シンボルにおいて、ＴＳ分離回路３３以降の処理に必要な信号は、ガード部と有効部の内、有効部であるが、第２の復調回路３２にて有効部の受信期間ｔｕ中に、無線通信部５１が動作を行うと、すでに述べたような、バースト的なノイズが不要輻射や電源リップル、またグランドバウンスとして、有効部のデータに悪影響を与える。
【００３７】
そこで本実施の形態においては、比較的ノイズに強いガード部の受信期間ｔｇに、無線通信部５１を動作させるようにして、無線通信部５１の動作に起因するノイズの影響が、テレビ受信部で受信される映像に及ぶことを防いでいる。このとき、ＣＰＵ５２の検出動作の対象となる受信信号は、テレビ受信部５０が接続されたアンテナ３０から、第２の復調回路３２までの伝送路にある信号となるようにする。もしくは、図示しないアンテナ３２の給電点から、第２の復調回路３２までの伝送路にある信号となるようにする。なお、この伝送路は、本発明の伝送路に相当するものであって、第２の復調回路３２と、ＣＰＵ５２とは、伝送路上の配置としては同等の手段と見なしてよい。
【００３８】
ここで、ＣＰＵ５２が、ガード部が受信される期間ｔｇを検出する方法は幾種類かあるが、各シンボルのガード部に含まれるシンボル同期位置を検出して、このシンボル同期位置を含む前後の、あらかじめ設定した時間長を期間ｔｇと見なすようにしてもよい。図３に示す例では、シンボル同期位置は、ガード部の後半寄りに設けられているため、あらかじめ設定した時間長は、シンボル同期位置の検出地点より前の時間長ｔｇ１と、シンボル同期位置の検出地点より後の時間長ｔｇ２との和ということになる。
【００３９】
また、あらかじめ一つまたは複数のシンボルを取得して、各シンボルのガード部の実際の時間長を検出し、これらの値の代表値、もしくは平均値を期間ｔｇと見なすようにしてもよい。なお、以上の動作において、ＣＰＵ５２はガード部の起点を常に検出し、ここから期間ｔｇの間に、無線通信部５１を動作させる必要がある。
【００４０】
再び図２の処理フローに戻って、ＣＰＵ５２は、検出したノイズに強い期間に、無線通信部５１を動作させるために、送受手順制御回路１８と所定の通信を行い、実際に通信を行うタイミングを決定する（ステップ２０５）。
【００４１】
送受手順制御回路１８は、ＣＰＵ５２から、ノイズに強い期間についての情報を取得すると、これに基づき、第１の変調回路１４および送出回路１２，もしくは第１の復調回路１５および選挙区回路１３を動作させて、送信または受信の動作を実行させる。
【００４２】
図３に示す例においては、無線通信部５１のの送信動作が行われる期間は、すべてガード部の時間長内であり、かつシンボル同期位置よりも早い期間である。
【００４３】
一方、無線通信部５１の受信動作が行われる時間は、シンボル同期位置より後であって、その期間は、ガード部から有効部の時間長の一部にまたがるようにしている。シンボル毎に受信処理するタイミングは、シンボル同期位置と同期信号として受信機が決定する。
【００４４】
無線通信部５１の動作において、テレビ受像部５０に与える影響は、送信動作のほうが、受信動作の影響より大きい。したがって、図３に示すように、無線通信部５１の動作のうち、少なくとも送信動作をガード部の時間長内に行わせるようにすれば、テレビ放送を受信しながら無線通信を行う場合でも、無線通信機能の送信に伴うバースト的な妨害波の影響を防ぐことができ、良好なテレビ受信を行うことができる。
【００４５】
次に、図４に示す例においては、無線通信部５１のの送信動作および受信動作が行われる期間を、すべてガード部の時間長内であり、かつシンボル同期位置よりも早い期間にしている。これにより、図３に示す例の効果に併せて、無線通信機能の受信時に伴うバースト的な妨害波の影響をも防ぐことができ、さらに良好なテレビ受信を行うことができる。
【００４６】
なお、図３および図４においては、１シンボル毎に無線通信の送受信が１回実行される例を示し、受信信号＃１と＃ｎについてのみ動作の様子を示したが、他の受信信号においても同様であることは言うまでもない。
【００４７】
なお、上記の動作においては、受信信号をシンボル単位で扱うものとして説明を行ったが、フレーム単位で扱うものとしてもよい。この場合、フレームは、シンボルのガード部に相当するフレームの一部分と、シンボルの有効部に相当する残りの部分とに分けて表され、上記一部分において、少なくとも無線通信部５１の送信動作を行わせるようにすれば、同様の効果が得られる。
【００４８】
また、上記の実施の形態において、ＣＰＵ５２は本発明の検出手段に相当し、送受手順制御回路１８は本発明の制御手段に相当する。また、受信信号を構成するシンボルは本発明のセグメントに相当し、ガード部は本発明のヘッダ部、有効部は本発明の実データ部に相当し、シンボル同期位置は、本発明のセグメントの受信中における所定の位置に相当する。
【００４９】
また、上記の説明においては、送受手順制御回路１８は無線通信部５１に内蔵するものとして説明を行ったが、これはテレビ受信部５０に内蔵されているものとしてもよい。ＣＰＵ５２と送受手順制御回路１８とがテレビ受信部５０に内蔵されることにより、本発明の単体としてのデジタルテレビ受信装置が構成され、このとき無線通信部５１は、本発明の単体としての無線通信装置に対応することになる。
【００５０】
また、ＣＰＵ５２を無線通信部５１に内蔵することにより、無線通信部５１を単体である、本発明の無線通信装置として実現してもよい。
【００５１】
また、本発明は、上述した本発明のデジタルテレビ受信装置の全部または一部の手段（または、装置、素子、回路、部等）の機能をコンピュータにより実行させるためのプログラムであって、コンピュータと協働して動作するプログラムであってもよい。
【００５２】
また、本発明は、上述した本発明のデジタルテレビ受信装置の全部または一部の手段の全部または一部の機能をコンピュータにより実行させるためのプログラムを担持した媒体であり、コンピュータにより読み取り可能且つ、読み取られた前記プログラムが前記コンピュータと協動して前記機能を実行する媒体であってもよい。
【００５３】
なお、本発明の一部の手段（または、装置、素子、回路、部等）、本発明の一部のステップ（または、工程、動作、作用等）とは、それらの複数の手段またはステップの内の、幾つかの手段またはステップを意味し、あるいは、一つの手段またはステップの内の、一部の機能または一部の動作を意味するものである。
【００５４】
また、本発明の一部の装置（または、素子、回路、部等）とは、それらの複数の装置の内の、幾つかの装置を意味し、あるいは、一つの装置の内の、一部の手段（または、素子、回路、部等）を意味し、あるいは、一つの手段の内の、一部の機能を意味するものである。
【００５５】
また、本発明のプログラムを記録した、コンピュータに読みとり可能な記録媒体も本発明に含まれる。
【００５６】
また、本発明のプログラムの一利用形態は、コンピュータにより読み取り可能な記録媒体に記録され、コンピュータと協働して動作する態様であっても良い。
【００５７】
また、本発明のプログラムの一利用形態は、伝送媒体中を伝送し、コンピュータにより読みとられ、コンピュータと協働して動作する態様であっても良い。
【００５８】
また、本発明のデータ構造としては、データベース、データフォーマット、データテーブル、データリスト、データの種類などを含む。
【００５９】
また、記録媒体としては、ＲＯＭ等が含まれ、伝送媒体としては、インターネット等の伝送機構、光・電波・音波等が含まれる。
【００６０】
また、上述した本発明のコンピュータは、ＣＰＵ等の純然たるハードウェアに限らず、ファームウェアや、ＯＳ、更に周辺機器を含むものであっても良い。
【００６１】
なお、以上説明した様に、本発明の構成は、ソフトウェア的に実現しても良いし、ハードウェア的に実現しても良い。
【００６２】
以上のような本発明は、さらに、以下のような形態にて実現してもよい。
【００６３】
すなわち、本発明は、無線通信装置を接続可能なデジタルテレビ受信装置において、前記無線通信装置を動作させる場合には、前記デジタルテレビ受信装置の受信信号のうち受信性能にあたえる影響が少ない期間を検出し、事前に対向する通信装置との間で送受信タイミングの調停を行い、前記無線通信装置の所定の送信動作を前記検出期間の範囲で行うように送信および受信の開始時刻を制御することを特徴とするものであり、テレビ放送を受信しながら無線通信を行う場合でも、無線通信機能の送信タイミングによるバースト的な妨害波を受けることのないデジタルテレビ受信装置を実現できるものである。
【００６４】
また、本発明は、無線通信装置を接続可能なデジタルテレビ受信装置であって、無線通信局との間で送受信電波を空間中で効率的に受け渡しする第１のアンテナと、前記アンテナにより得た高周波信号から所定の周波数帯域信号を所定のタイミングで受信しデジタル信号に変換する第１の受信手段と、送信するべきデジタル信号を所定の高周波帯域信号に変換して前記アンテナにより所定のタイミングで送信するための第１の送信手段と、入力手段からの情報を所定の処理によってパケットデータ化し前記第１の送信部へ出力する機能と、前記第１の受信手段からの入力信号を所定の処理によって出力データへ変換する機能を持つと共に、前記第１の送信部および前記第１の受信部を動作させる所定のタイミングを制御する第１の情報処理手段とから構成される無線通信部と、放送局からの放送電波を空中で効率的に受ける第２のアンテナと、前記アンテナにより得た高周波信号から所定の周波数帯域信号を受信しデジタル信号に変換する第２の受信手段と、前記デジタル信号を所定の処理によって出力データへ変換する第２の情報処理手段と、前記出力データと前記無線通信部からの出力データを合成する手段と、前記合成データを表示するための手段から構成されるテレビ受信部、さらに前記第２の受信部と前記第１の情報処理部間の調停をする制御手段から成っており、前記無線通信装置を動作させる場合には、前記デジタルテレビ受信装置の受信信号のうち受信性能にあたえる影響が少ない期間を検出し、事前に対向する通信装置との間で送受信タイミングの調停を行い、前記無線通信装置の所定の送信動作を前記検出期間の範囲で行うように送信および受信の開始時刻を制御することを特徴とするものであり、テレビ放送を受信しながら無線通信を行う場合でも、無線通信機能の送信タイミングによるバースト的な妨害波を受けることのないデジタルテレビ受信装置を実現できるものである。
【００６５】
また、本発明は、無線通信装置を接続可能なデジタルテレビ受信装置において、フレームを構成する複数のシンボルは所定期間に割当てられたデジタルデータを直交周波数分割多重することにより生成し、前記所定期間である有効シンボルと前記有効シンボルの後部の一部をガード信号として前記有効シンボルの先頭部へ付加された信号を、割当てられた単一の周波数帯へ変換して送信される放送と、複数のタイムスロットによりフレームを構成し、前記各タイムスロットへ単一または複数の周波数帯を割当て時分割多重化した信号を送信機および受信機を介して送受信する無線通信との、複数の伝送方式に対する、前記請求項１および２に記載の無線通信装置を接続可能なデジタルテレビ受信装置において、無線通信装置のタイムスロットを送信するタイミングは、テレビ受信部により設定されたシンボル期間単位の同期パルス発生時刻に対して１有効シンボル期間経過後の時刻から、１ガード信号分の期間の時刻に開始し、一方前記無線通信部の受信タイミングは所定の送信タイミングに対応した動作であることを特徴とするものであり、テレビ放送を受信しながら無線通信を行う場合でも、無線通信機能の送信タイミングによるバースト的な妨害波を受けることのないデジタルテレビ受信装置を実現できるものである。
【００６６】
また、本発明は、無線通信装置を接続可能なデジタルテレビ受信装置において、前記無線通信装置を動作させる場合には、前記デジタルテレビ受信装置の受信信号のうち受信性能にあたえる影響が少ない期間を検出し、事前に対向する通信装置との間で送受信タイミングの調停を行い、前記検出期間の範囲で前記無線通信装置の送信動作をするように送信および受信周期を制御することを特徴とするものであり、テレビ放送を受信しながら無線通信を行う場合でも、無線通信機能の送信タイミングによるバースト的な妨害波を受けることのないデジタルテレビ受信装置を実現できるものである。
【００６７】
また、本発明は、無線通信装置を接続可能なデジタルテレビ受信装置は、無線通信局との間で送受信電波を空間中で効率的に受け渡しする第１のアンテナと、前記アンテナにより得た高周波信号から所定の周波数帯域信号を所定のタイミングで受信しデジタル信号に変換する第１の受信手段と、送信するべきデジタル信号を所定の高周波帯域信号に変換して前記アンテナにより所定のタイミングで送信するための第１の送信手段と、入力手段からの情報を所定の処理によってパケットデータ化し前記第１の送信部へ出力する機能と、前記第１の受信手段からの入力信号を所定の処理によって出力データへ変換する機能を持つと共に、前記第１の送信部および前記第１の受信部を動作させる所定のタイミングを制御する第１の情報処理手段とから構成される無線通信部と、放送局からの放送電波を空中で効率的に受ける第２のアンテナと、前記アンテナにより得た高周波信号から所定の周波数帯域信号を受信しデジタル信号に変換する第２の受信手段と、前記デジタル信号を所定の処理によって出力データへ変換する第２の情報処理手段と、前記出力データと前記無線通信部からの出力データを合成する手段と、前記合成データを表示するための手段から構成されるテレビ受信部、さらに前記第２の受信部と前記第１の情報処理部間の調停をする制御手段から成っており、前記無線通信装置を動作させる場合には、前記デジタルテレビ受信装置の受信信号のうち受信性能にあたえる影響が少ない期間を検出し、事前に対向する通信装置との間で送受信タイミングの調停を行い、前記検出期間の範囲で前記無線通信装置の送信動作をするように送信および受信周期を制御することを特徴とするものであり、テレビ放送を受信しながら無線通信を行う場合でも、無線通信機能の送信タイミングによるバースト的な妨害波を受けることのないデジタルテレビ受信装置を実現できるものである。
【００６８】
また、本発明は、フレームを構成する複数のシンボルは所定期間に割当てられたデジタルデータを直交周波数分割多重することにより生成し、前記所定期間である有効シンボルと前記有効シンボルの後部の一部をガード信号として前記有効シンボルの先頭部へ付加された信号を、割当てられた単一の周波数帯へ変換して送信される放送と、複数のタイムスロットによりフレームを構成し、前記各タイムスロットへ単一または複数の周波数帯を割当て時分割多重化した信号を送信機および受信機を介して送受信する無線通信との、複数の伝送方式に対する、前記請求項１および４に記載の無線通信装置を接続可能なデジタルテレビ受信装置において、無線通信装置のタイムスロットを送信するタイミングは、テレビ受信部により設定されたシンボル期間単位の同期パルス発生時刻に対して１有効シンボル期間経過後の時刻から、１ガード信号分の期間の時刻に開始し、前記テレビ受信部の整数シンボル分毎に発生し、一方前記無線通信部の受信タイミングは所定の送信タイミングに対応した動作であることを特徴とするものであり、テレビ放送を受信しながら無線通信を行う場合でも、無線通信機能の送信タイミングによるバースト的な妨害波を受けることのないデジタルテレビ受信装置を実現できるものである。
【００６９】
また、本発明は、無線通信装置を接続可能なデジタルテレビ受信装置であって、単数あるいは複数の無線通信装置とデジタルテレビ受信装置がそれぞれ独立の装置であり相互をデーター信号および制御信号などのケーブルで接続して使用する形態であることを特徴とするものであり、テレビ放送を受信しながら無線通信を行う場合でも、無線通信機能の送信タイミングによるバースト的な妨害波を受けることのないデジタルテレビ受信装置を実現できるものである。
【００７０】
また、本発明は、無線通信装置を接続可能なデジタルテレビ受信装置であって、単数あるいは複数の無線通信装置とデジタルテレビ受信装置が一体型の装置として構成され、相互の機能を内部のデーター信号および制御信号などのケーブルで接続して使用する形態であることを特徴とするものであり、テレビ放送を受信しながら無線通信を行う場合でも、無線通信機能の送信タイミングによるバースト的な妨害波を受けることのないデジタルテレビ受信装置を実現できるものである。
【００７１】
【発明の効果】
以上のように、本発明によれば、テレビ放送を受信しながら無線通信を行う場合でも、無線通信機能の通信動作に伴うバースト的な妨害波を受けることのないデジタルテレビ受信装置等が提供できる。
【図面の簡単な説明】
【図１】本発明の実施の形態におけるデジタルテレビ受信装置の構成図
【図２】本発明の実施の形態におけるデジタルテレビ受信装置のフロー説明図
【図３】本発明の実施の形態におけるデジタルテレビ受信装置のタイミング説明図
【図４】本発明の実施の形態におけるデジタルテレビ受信装置のタイミング説明図
【図５】従来例の説明図
【符号の説明】
１０　　第１のアンテナ
１１　　スイッチ
１２　　送出回路
１３　　選局回路
１４　　第１の変調回路
１５　　第１の復調回路
１６　　データ多重／分離回路
１７　　データ復号回路
１８　　送受手順制御回路
１９　　入力部
３０　　第２のアンテナ
３１　　チューナ
３２　　第２の復調回路
３３　　ＴＳ分離回路
３４　　映像復号回路
３５　　音声復号回路
３６　　合成回路
３７　　モニター
３８　　スピーカー
５０　　テレビ受信部
５１　　無線通信部
５２　　ＣＰＵ
５３　　放送局
５４　　無線通信局
９１　　情報処理装置
９２　　無線通信装置
９３　　信号伝送部
９４　　情報処理部
９５　　制御部
９６　　制御部
９７　　無線通信部
９８　　アンテナ
【図１】
2004048447.tif 000003
【図２】
2004048447.tif 000004
【図３】
2004048447.tif 000005
【図４】
2004048447.tif 000006
【図５】
2004048447.tif 000007